(57)【要約】【課題】火災感知器からの火災信号が制御盤に入力されることで作動するプリンクラーシステムにおいて、火災感知器が未設置や故障等で火災信号を制御盤に送ることが不可能な場合に、作動しない空白の時間を皆無とし確実に動作する信頼性の高いスプリンクラーシステムを提供すること。【解決手段】制御盤３０に火災感知手段による火災信号が入力されて消火活動を行う真空湿式スプリンクラーシステム、真空乾式スプリンクラーシステム又は乾式スプリンクラーシステムの何れか一のシステムにおいて、制御盤３０に、火災感知器４０の作動準備状態を検出する作動準備状態認識手段を設け、作動準備状態認識手段が火災感知器４０の未設置又は故障等による非準備状態を認識したときに、制御盤３０は、仕切り弁２６を開状態とし、給水ポンプ１４を起動する制御を行い、湿式のスプリンクラーシステムのスタンバイ状態を構築するようにした。【選択図】図１
2012130374.tif 000002
【特許請求の範囲】
【請求項１】
個別作動式のスプリンクラーヘッドと、
該スプリンクラーヘッドへの水の供給が可能で常態を供給停止状態とした水供給手段と、
該水供給手段へ連結された一次側配管、前記スプリンクラーヘッドへ連結された二次側配管及び前記一次側配管と前記二次側配管との間を閉状態を常態として仕切る仕切り弁を有し全体として前記水供給手段から前記スプリンクラーヘッドへの水供給路を構成する送水配管部と、
火災状態を感知して火災信号を送出する火災感知手段と、
該火災感知手段からの火災信号を受信したときに前記水供給手段を水供給状態とし、前記仕切り弁を開状態とする制御部と、
を有するスプリンクラーシステムにおいて、
前記制御部は、
前記火災感知手段の作動準備ができているか否かを認識する作動準備状態認識手段を有し、
該作動準備状態認識手段が前記火災感知手段の非準備状態を認識したときに、前記仕切り弁を開状態とし、前記水供給手段を水供給状態として湿式のスプリンクラーシステムのスタンバイ状態とすることを特徴とするスプリンクラーシステム。
【請求項２】
前記作動準備状態認識手段は、
前記火災感知手段が既に設置されているか否かを検知し、前記火災感知手段が未設置のときに、前記火災感知手段が非準備状態であると認識することを特徴とする請求項１に記載のスプリンクラーシステム。
【請求項３】
前記作動準備状態認識手段は、
前記火災感知手段が設置された状態で、故障状態にあるか否かを検知し、前記火災感知手段が故障状態のときに、前記火災感知手段が非準備状態であると認識することを特徴とする請求項１又は２の何れか１項に記載のスプリンクラーシステム。
【請求項４】
常態で前記二次側配管内部を負圧状態に維持する負圧状態確保部を有し、
前記作動準備状態認識手段が前記火災感知手段の非準備状態を認識したときに、
前記制御部は、
前記仕切り弁を開状態とし、前記水供給手段を水供給状態とすることに加えて、前記負圧状態確保部による前記二次側配管内部の負圧状態を解除することを特徴とする請求項１から３の何れか１項に記載のスプリンクラーシステム。
【請求項５】
常態で前記二次側配管内部を正圧状態に維持する正圧状態確保部を有し、
前記作動準備状態認識手段が前記火災感知手段の非準備状態を認識したときに、
前記制御部は、
前記仕切り弁を開状態とし、前記水供給手段を水供給状態とすることに加えて、前記正圧状態確保部による前記二次側配管内部の正圧状態を解除することを特徴とする請求項１から３の何れか１項に記載のスプリンクラーシステム。
【発明の詳細な説明】
【技術分野】
【０００１】
本発明は、火災感知手段の火災信号に基づいて消火を行うスプリンクラーシステムにおいて、火災感知手段が未設置等により火災信号を送出できないときでも消火を行うことが可能なスプリンクラーシステムに関する。
【背景技術】
【０００２】
スプリンクラーシステムには多種多用の方式がある。大別すると湿式と乾式とがある。常態で二次側配管に水が充填されるか否かで分類される。寒冷地では凍結の恐れがあるため乾式が用いられるが、全体的には湿式が多く用いられているのが現状である。この湿式スプリンクラーシステムにおいては、スプリンクラーヘッドの誤動作による水損が問題になっている。そこで、近年、二次側配管に水が充填された湿式において、スプリンクラーヘッドが誤作動を起こした場合でも水損が生じない湿式スプリンクラーシステム（特許文献１）が開発され、多用され始めている。
【０００３】
図２は、その真空湿式スプリンクラーシステムの主要部の概略構成図である。真空湿式スプリンクラーシステム１００において、消火水槽１６に蓄えられた水は、送水ポンプ１４、一次側配管２２、仕切り弁２６、二次側配管２４、スプリンクラーヘッド１２を経由して放水される。図示したように、仕切り弁２６は、各階で分岐された一次側配管２２と、二次側配管２４との間に通水可能に接続され、電動弁２６ａと警報弁２６ｂとから構成されている。平常時において電動弁２６ａは閉状態に維持される。なお、警報弁２６ｂは、電動弁２６ａが開状態となり、送水が所定時間行われた時に、流水を検知し、警報を発する機能を有するものである。
【０００４】
二次側配管２４は、その一端が仕切り弁２６に連通接続され、各階毎に天井に略平行に伸長したのちに更に分岐し、鉛直方向に垂下した立ち下げ配管２４ｂを形成している。そして、その先端部には、各階の天井部から露出した状態でスプリンクラーヘッド１２が取り付けられている。二次側配管２４の他端には、スプリンクラー設備の試験用の末端試験弁２８が設けられている。
【０００５】
スプリンクラーヘッド１２は、その先端面に多数の放水孔（図示せず）を備えており、平常時にはその放水孔は閉鎖され、周囲が例えば摂氏８０度といった所定の高温状態になった際に、放水孔が開放され水等を噴出するという機能をそれぞれ独立して有している。この放水孔の開放には低融点金属の高温軟化を利用したものが一般的であるが、上記機能を達成可能であれば、その他いずれの構造・構成を有していても良い。
【０００６】
上記の構成に加え、湿式スプリンクラーシステム１００は、予作動機能を達成するため、火災感知手段である火災感知器４０及び制御盤３０を備えている。火災感知器４０は、火災状態を検出する手段として各階に設けられている。煙や火炎、周囲温度を高感度且つ高速に感知し、設置環境が所定温度等に達した際には制御盤３０に向けて火災信号ＦＳを送出する機能を備えている。こうした火災感知器４０は、スプリンクラーヘッド１２よりも周囲温度等を即時に検出・設定できるものが選定されている。
【０００７】
制御盤３０は、本システムの制御部として具備される。この制御盤３０は、外部からの各種信号を受け取ることが可能な入力部（図示していない）、予め組まれた制御論理に従って機能するメモリやリレー回路等で構成された判断部（図示していない）、仕切り弁２６や送水ポンプ１４等へ制御信号（ＣＳ２、ＣＳ３）を送出し電力を供給する出力部（図示していない）を有している。こうした構成により、制御盤３０は火災感知器４０から送られた火災信号ＦＳにより判断を行い、仕切り弁２６の開閉及び送水ポンプ１４の起動等を制御することが可能となっている。
【０００８】
ここで、二次側配管２４内部は、負圧状態確保手段により負圧状態に維持される。すなわち、水が充填された後、吸引電磁弁５４が開かれて吸引ポンプ５０が駆動され、吸引管５３内部及び二次側配管２４内部が吸引される。このとき、二次側配管２４の最上部である上がり分岐管２４ａ以外の端部はすべて閉鎖されていることから、二次側配管２４に貯留された水は、大気圧以下であって吸引ポンプ５０の吸引に応じた負圧状態となり、二次側配管２４内に残り続ける。これにより、非火災時にスプリンクラーヘッド１２から水が吹き出して水被害が生じることを回避すると共に、火災時には火災感知器４０からの信号により水噴出による消火動作が可能となっている。
【０００９】
なお、本湿式スプリンクラーシステム１００は、二次側配管２４内の水位を検出する水位検出手段５６、二次側配管２４内の圧力変動を検知する圧力スイッチ４２等の特徴的な構成を有しているが、本願発明とは直接に関係しないため、それらの説明は省略する。
【００１０】
火災が発生した際には、火災感知器４０が火災状態を感知し火災信号ＦＳを制御盤３０へ送出する。この火災信号ＦＳを入力部にて受けた制御盤３０は、火災状態を感知した火災感知器４０の階の電動弁２６ａを駆動するよう出力部から制御信号ＣＳ２を送出する。これにより電動弁２６ａは開状態となる。更に、制御盤３０は、上記信号ＣＳ２の出力と共に吸引用電磁弁５４へも制御信号ＣＳ１を送出する。この信号により吸引用電磁弁５４は閉鎖され、負圧状態が解除される。同時に、吸引ポンプ５０を停止させる制御信号ＣＳ４を吸引ポンプ５０に送出して吸引ポンプ５０を停止させ、送水ポンプ１４を起動するための制御信号ＣＳ３を送水ポンプ１４に送出して送水ポンプ１４を起動させる。
【００１１】
一次側配管２２に多量に貯留された加圧状態の水は、火災発生階の二次側配管２４に流入して、負圧状態であった水を、例えば６ｋｇｆ/ｃｍ２程度の高圧状態に変えるという予作動機能が行われる。続いて、初期火災によりいずれかのスプリンクラーヘッド１２が熱を受け作動すると、二次側配管２４内の高圧状態の水が瞬時にスプリンクラーヘッド１２から噴射されて消火動作を開始する。このスプリンクラーヘッド１２から水が噴射されたことにより、一次側配管２２から二次側配管２４へ連続的に水供給の行われた流水状態となり、流水が検知され警報弁２６ｂが作動し、スプリンクラーシステムが作動したことを知らせる警報を発することとなる。こうした一連の動作によりスプリンクラーヘッド１２から連続的に多量の水が放射される。システム管理者等は、スプリンクラーシステムによる消火動作が完了したのを確認して電動弁２６ａを閉鎖し、送水ポンプ１４を停止させる。そして、作動したスプリンクラーヘッド１２の取り替えを行い、各部を点検したのち最後にシステムを初期状態に再設定する。
【００１２】
図３は、特許文献２に開示された真空乾式スプリンクラーシステムの主要部の概略構成図である。特許文献１と同一の発明人が発明したシステムである。図１の構成と異なる点は、二次側配管２４には水を溜めず、吸引電磁弁５４が開かれて吸引ポンプ５０が駆動され、吸引管５３内部及び二次側配管２４内部が吸引され、減圧された状態になっている点にある。
【００１３】
この構成により、二次側配管２４の立ち下り配管２４ｂに残水する問題が解決される。すなわち、スプリンクラーヘッド１２が動作して水が放水された後、又は試験的にスプリンクラーヘッド１２から水を放出したのち、常態に戻すには、二次側配管２４内の水を抜く作業が必要である。この作業は、試験弁２８を開けることで為されるが、二次側配管２４の立ち下げ配管２４ｂに溜まった残水６２を取り除くには、プリンクラーヘッド１２を外す必要があり、その取り外し作業が厄介であった。そこで、二次側配管２４内部を真空状態にして常温で二次側配管２４内部の水が沸騰するように構成した。これにより、非火災時に立ち下げ配管２４ｂの残水６２を自然に消滅させ、錆の発生や腐食の問題等を回避すると共に、火災時には火災感知器４０からの信号により水噴出による消火動作が可能となっている。
【００１４】
なお、火災が発生した場合の消火の手順は、図３のシステムと同様である。すなわち、火災感知器４０が火災状態を感知し火災信号ＦＳを制御盤３０へ送出する。この火災信号ＦＳを入力部にて受けた制御盤３０は、火災状態を感知した火災感知器４０の階の電動弁２６ａを駆動するよう出力部から制御信号ＣＳ２を送出する。これにより電動弁２６ａは開状態となる。更に、制御盤３０は、上記信号ＣＳ２の出力と共に吸引用電磁弁５４へも制御信号ＣＳ１を送出する。この信号により吸引用電磁弁５４は閉鎖され、負圧状態が解除される。同時に、吸引ポンプ５０を停止させる制御信号ＣＳ４を吸引ポンプ５０に送出して吸引ポンプ５０を停止させ、送水ポンプ１４を起動するための制御信号ＣＳ３を送水ポンプ１４に送出して送水ポンプ１４を起動させる。上記制御部３０の制御において、電動弁２６ａが開状態とされ送水ポンプ１４が起動されると、二次側配管２４内には所定の水圧で水が充填されることとなる。
【００１５】
続いて、初期火災によりいずれかのスプリンクラーヘッド１２が熱を受け作動すると、二次側配管２４内の高圧状態の水が瞬時にスプリンクラーヘッド１２から噴射されて消火動作を開始する。このスプリンクラーヘッド１２から水が噴射されたことにより、一次側配管２２から二次側配管２４へ連続的に水供給の行われた流水状態となり、流水が検知され警報弁２６ｂが作動し、スプリンクラーシステムが作動したことを知らせる警報を発することとなる。こうした一連の動作によりスプリンクラーヘッド１２から連続的に多量の水が放射される。システム管理者等は、スプリンクラーシステムによる消火動作が完了したのを確認して電動弁２６ａを閉鎖し、送水ポンプ１４を停止させる。そして、作動したスプリンクラーヘッド１２の取り替えを行い、各部を点検したのち最後にシステムを初期状態に再設定する。
【００１６】
なお、二次側配管内を正圧状態とする乾式スプリンクラーシステムは、図３の構成において、二次側配管内部を正圧状態とするように、吸引ポンプ５０の代わりにコンプレッサー等を取り付けた構成になっている。吸引用電磁弁５４は、圧縮用電磁弁に置き換えられ、二次側配管２４内の圧力を監視する圧力計が取り付けられ、二次側配管２４内部が所定の圧力になるように構成されている。この構成により、スプリンクラーヘッド１２が故障等により開状態になった場合でも水が放出されず水損の発生が防止される。この乾式スプリンクラーシステムにおいて火災が発生した動作は、二次側配管２４内部の負圧状態を正圧状態と置き換えれば良く、図３の真空乾式スプリンクラーシステムと略同一であるので説明は省略する。
【先行技術文献】
【特許文献】
【００１７】
【特許文献１】特許第３２６４９３９号公報
【特許文献２】ＷＯ２００９/０９６０３５０Ａ１
【発明の概要】
【発明が解決しようとする課題】
【００１８】
上述の予作動式の真空湿式スプリンクラーシステム１００、真空乾式スプリンクラーシステム１１０及び乾式スプリンクラーシステムは、火災感知器４０からの火災信号ＦＳが制御盤３０に入力されることにより、仕切り弁２６や送水ポンプ１４の制御が行われる。したがって、火災感知器４０が未設置や故障等により火災信号ＦＳを制御盤３０に送ることができない場合には、そのような状態ではシステムが作動しないため、手動で吸引電磁弁５４を開状態として吸引ポンプ５０を停止させ、手動で仕切り弁２６を開けて送水ポンプ１４を起動させていた。したがって、手作業でそのような操作を行う必要があるため、スプリンクラーシステムが動作しない空白の時間が生じる恐れがあり、信頼性の面で懸念があった。
【００１９】
本発明は、上記課題に鑑みてなされたものであり、その目的は、火災感知器からの火災信号が制御盤に入力されることで作動するプリンクラーシステムにおいて、火災感知器が未設置や故障等で火災信号を制御盤に送ることが不可能な場合に、作動しない空白の時間を皆無とし確実に動作する信頼性の高いスプリンクラーシステムを提供することにある。
【課題を解決するための手段】
【００２０】
上記目的を達成するため、請求項１に記載のプリンクラーシステムは、
個別作動式のスプリンクラーヘッドと、該スプリンクラーヘッドへの水の供給が可能で常態を供給停止状態とした水供給手段と、該水供給手段へ連結された一次側配管、前記スプリンクラーヘッドへ連結された二次側配管及び前記一次側配管と前記二次側配管との間を閉状態を常態として仕切る仕切り弁を有し全体として前記水供給手段から前記スプリンクラーヘッドへの水供給路を構成する送水配管部と、火災状態を感知して火災信号を送出する火災感知手段と、該火災感知手段からの火災信号を受信したときに前記水供給手段を水供給状態とし、前記仕切り弁を開状態とする制御部と、を有するスプリンクラーシステムにおいて、
前記制御部は、前記火災感知手段の作動準備ができているか否かを認識する作動準備状態認識手段を有し、該作動準備状態認識手段が前記火災感知手段の非準備状態を認識したときに、前記仕切り弁を開状態とし、前記水供給手段を水供給状態として湿式のスプリンクラーシステムのスタンバイ状態とすることを特徴とする。
【００２１】
この構成により、制御部は、作動準備状態認識手段が火災感知手段の非準備状態を認識すると、仕切り弁を解放し、水供給手段を水供給状態とする制御を行い、一般的な湿式スプリンクラーシステムのスタンバイ状態を構築することができる。ここで、湿式スプリンクラーシステムのスタンバイ状態とは、二次側配管内に水が充填された状態で、スプリンクラーヘッドが火災等により開状態となると直ちにスプリンクラーヘッドから水が連続的に噴出され消火活動が行われる状態をいう。したがって、火災感知器が未設置や故障等で火災信号を制御盤に送ることが不可能な場合に、作動しない空白の時間を皆無とし確実に作動する信頼性の高いスプリンクラーシステムを構築することができる。
【００２２】
請求項２に記載のスプリンクラーシステムは、請求項１に記載のスプリンクラーシステムにおいて、
前記作動準備状態認識手段は、前記火災感知手段が既に設置されているか否かを検知し、前記火災感知手段が未設置のときに、前記火災感知手段が非準備状態であると認識することを特徴とする。したがって、火災感知手段が未設置の状態の場合、作動準備状態認識手段により非準備状態と認識されるので、スプリンクラーシステムが作動しない空白の時間を皆無とすることが可能である。
【００２３】
請求項３に記載のスプリンクラーシステムは、請求項１又は２の何れか１項に記載のスプリンクラーシステムにおいて、
前記作動準備状態認識手段は、前記火災感知手段が設置された状態で、故障状態にあるか否かを検知し、前記火災感知手段が故障状態のときに、前記火災感知手段が非準備状態であると認識することを特徴とする。したがって、火災感知手段が設置された状態で、故障状態の場合、作動準備状態認識手段により非準備状態と認識されるので、スプリンクラーシステムが作動しない空白の時間を皆無とすることが可能である。
【００２４】
請求項４に記載のスプリンクラーシステムは、請求項１から３の何れか１項に記載のスプリンクラーシステムにおいて、常態で前記二次側配管内部を負圧状態に維持する負圧状態確保部を有し、前記作動準備状態認識手段が前記火災感知手段の非準備状態を認識したときに、前記制御部は、前記仕切り弁を開状態とし、前記水供給手段を水供給状態とすることに加えて、前記負圧状態確保部による前記二次側配管内部の負圧状態を解除することを特徴とする。したがって、この一連の制御により、いわゆる真空湿式スプリンクラーシステムは、二次側配管内の水は負圧状態から負圧が解除された状態になり、また、いわゆる真空乾式スプリンクラーシステムは、二次側配管内は空気が減圧されていた状態から水が充填された状態となり、一般的な湿式スプリンクラーシステムのスタンバイ状態を構築することができる。これにより、真空湿式スプリンクラーシステム、真空乾式スプリンクラーシステムが作動しない空白の時間を皆無とすることが可能である。
【００２５】
請求項５に記載のスプリンクラーシステムは、請求項１から３の何れか１項に記載のスプリンクラーシステムにおいて、常態で前記二次側配管内部を正圧状態に維持する正圧状態確保部を有し、前記作動準備状態認識手段が前記火災感知手段の非準備状態を認識したときに、前記制御部は、前記仕切り弁を開状態とし、前記水供給手段を水供給状態とすることに加えて、前記正圧状態確保部による前記二次側配管内部の正圧状態を解除することを特徴とする。したがって、この一連の制御により、いわゆる乾式スプリンクラーシステムは、二次側配管内は加圧状態から空気が抜かれて水が充填された状態になり、一般的な湿式スプリンクラーシステムのスタンバイ状態を構築することができる。これにより、乾式スプリンクラーシステムが作動しない空白の時間を皆無とすることが可能である。
【発明の効果】
【００２６】
本発明のスプリンクラーシステムによれば、火災感知器が未設置や故障等で火災信号を制御盤に送ることが不可能な場合に、通常の湿式スプリンクラーシステムのスタンバイ状態を構築することができる。したがって、手作業での操作が不要であり、スプリンクラーシステムが作動しない空白の時間を皆無とすることができるので、火災等の災害をより確実に防止することが可能である。
【図面の簡単な説明】
【００２７】
【図１】本発明のスプリンクラーシステムを動作させるためのフロー図である。
【図２】従来の真空湿式スプリンクラーシステムの主要部の概略構成図である。
【図３】従来の真空乾式スプリンクラーシステムの主要部の概略構成図である。
【発明を実施するための最良の形態】
【００２８】
本発明の実施の形態を、以下図面を参照しながら詳述する。図１は、本発明のスプリンクラーシステムを動作させるための手順を示すフロー図である。このフロー図は、従来技術で説明した真空湿式スプリンクラーシステム（図２）と、出願人が発明した二次側配管内部を真空とする真空乾式スプリンクラーシステム（図３）及び乾式スプリンクラーシステムに適用されるものである。いずれのシステムも、通常は火災感知器の火災信号が制御盤に入力されるにより消火活動が行われるシステムであるが、火災感知器が未設置等により火災信号を送出できないときに、本発明を適用することにより一般的な湿式スプリンクラーシステムのスタンバイ状態が構築される。すなわち、常態は、乾式スプリンクラーシステム、真空湿式スプリンクラーシステム又は真空乾式のスプリンクラーシステムの何れか一のシステムとして作動するが、火災感知器が未設置等の時は、一般的な湿式スプリンクラーシステムとして作動する。ここで、湿式スプリンクラーシステムのスタンバイ状態とは、二次側配管内に水が充填された状態で、スプリンクラーヘッドが火災等により開状態となると直ちにスプリンクラーヘッドから水が連続的に噴出され消火活動が行われる状態をいう。
【００２９】
まず、真空湿式スプリンクラーシステム（図２参照）について説明する。火災感知手段である火災感知器４０が非準備状態、例えば未設置に状態であり、火災が発生しても火災感知器４０からは火災信号ＦＳが送出されない場合について説明する。このままでは開閉制御部である制御盤３０に火災信号ＦＳが入力されずスプリンクラーシステムは作動しない。
【００３０】
そこで、開閉制御部である制御盤３０に、火災感知手段である火災感知器４０の作動準備状態を認識する作動準備状態認識手段（図示していない）を設ける。この作動準備認識手段は、従前のスプリンクラーシステムの制御盤３０に取り付けることができる。例えば、火災感知器４０から確認信号を作動準備状態認識手段に常に送出するように構成し、この信号が受信できないときは、火災感知器４０が未設置であり、火災感知器４０は非準備状態と認識する。また、確認信号を受信しても正常な信号でない場合には、火災感知器４０は故障であり、火災感知器４０は非準備状態と認識するように構成することが可能である。
【００３１】
作動準備状態認識手段は、常に火災感知器４０の非準備状態又は準備状態を認識している（ステップＳ１）。作動準備状態認識手段が火災感知器４０の非準備状態を認識した場合、負圧状態確保部による二次側配管２４内部の負圧状態を解除する（ステップＳ２）。具体的には、吸引用電磁弁５４を閉鎖し、後述するステップＳ４の仕切り弁２６の解放、及びステップＳ５の送水ポンプ１４の起動により二次側配管２４内部を加圧状態にする。なお、負圧状態確保部による二次側配管２４内部の負圧状態を解除する際、同時に二次側配管２４内の水を吸引する吸引ポンプ５０は非動作状態に設定される。作動準備状態認識手段による火災感知器４０の非準備状態が認識されない場合は、現状を維持し、作動準備状態認識手段は火災感知器４０の作動準備状態を確認し続ける（ステップＳ３）。
【００３２】
次に、制御盤３０から制御信号ＣＳ２を仕切り弁２６に送出する。この信号により、電動弁２６ａが解放状態となる（ステップＳ４）。なお、仕切り弁２６には流水検知器が付属しており、二次側配管２４内部を流れる水の流れが検知され、流水を検知すると警報を行うように構成されている。
【００３３】
ステップＳ４の仕切り弁２６の解放に続いて、送水ポンプ１４が起動するように制御信号ＣＳ３が送水ポンプ１４に送出され、この信号により送水ポンプ１４が起動する（ステップＳ５）。真空湿式スプリンクラーシステムにおいて、常態では二次側配管２４内には水が充填され吸引ポンプ５０により吸引されているが、上記の手続きを行うことで、二次側配管２４内の水は吸引されていない状態となる。上記の一連の制御により、真空湿式スプリンクラーシステムは、一般的な湿式スプリンクラーシステムのスタンバイ状態となる。
【００３４】
この状態で、スプリンクラーヘッド１２が火災により開状態になると、開状態となったスプリンクラーヘッド１２から水が連続で流れ出ることとなる。電動弁２６ａが解放され、送水ポンプ１４が起動しているからである。このようにして、スプリンクラーヘッド１２から連続的に多量の水が放射されて、消火活動を行うことが可能となる。なお、二次側配管２４内を連続して水が流れると、流水検知器により流水が検知され、警報が発せられることとなる。
【００３５】
ここで、未設置等により非準備状態であった火災感知器４０が、準備状態になった場合には、従前の真空湿式スプリンクラーシステムに構築し直すことが可能である。すなわち、制御盤３０に火災信号ＦＳが入力されると仕切り弁２６及び送水ポンプ１４を制御するように設定し直す。そして、吸引電磁弁５４が開いて吸引ポンプ５０を駆動し、吸引管５３内部及び二次側配管２４内部を吸引し、二次側配管２４に貯留された水を、大気圧以下であって吸引ポンプ５０の吸引に応じた負圧状態とする。このようにして従前の真空湿式スプリンクラーシステムの初期状態に再設定が完了する。
【００３６】
出願人が発明した真空乾式のスプリンクラーシステム１１０（図３参照）にも本発明を適用することができる。この真空乾式スプリンクラーシシステム１１０は、図２の真空湿式とは異なり、二次側配管２４内部には水は充填せず真空状態を常態としている。この真空の程度は、常温で水が沸騰するような真空度に設定される。二次側配管２４内部を真空にするために、吸引用電磁弁５４、吸引管５３、吸引ポンプ５０等が備えられている。二次側配管２４内の温度と圧力はそれぞれ温度検知器５７ｂ、圧力検知器５７ａによりモニタ監視されている。二次側配管２４内は、前述のように常温で水が蒸発されるように圧力がコントロールされ、試験等で放水した後に二次側配管２４の立ち下げ配管２４ｂ内に残留した残水６２を蒸発させる仕組みになっている。
【００３７】
火災感知手段である火災感知器４０が未設置又は故障等を起こして非作動状態の場合、火災が発生しても火災感知器４０からは火災信号ＦＳが送出されないため、このままでは開閉制御部である制御盤３０に火災信号ＦＳが入力されず、スプリンクラーシステムは動作しない。
【００３８】
そこで、開閉制御部である制御盤３０に、火災感知手段である火災感知器４０の作動準備状態を認識する作動準備状態認識手段（図示していない）を設ける。この作動準備認識手段は、従前のスプリンクラーシステムの制御盤３０に取り付けることができる。例えば、火災感知器４０から確認信号を作動準備状態認識手段に常に送出するように構成し、この信号が受信できないときは、火災感知器４０が未設置であり、火災感知器４０は非準備状態と認識する。また、確認信号を受信しても正常な信号でない場合には、火災感知器４０は故障であり、火災感知器４０は非準備状態と認識するように構成することが可能である。
【００３９】
作動準備状態認識手段は、常に火災感知器４０の非準備又は準備状態を認識している（ステップＳ１）。作動準備状態認識手段が火災感知器４０の非準備状態を認識した場合、負圧状態確保部による二次側配管２４内部の負圧状態を解除する（ステップＳ２）。具体的には、吸引用電磁弁５４を閉鎖し、後述するステップＳ４の仕切り弁２６の解放、及びステップＳ５の送水ポンプ１４の起動により二次側配管２４内部状態を加圧状態にする。なお、負圧状態確保部による二次側配管２４内部の負圧状態を解除する際、同時に二次側配管２４内を吸引する吸引ポンプ５０は非動作状態に設定される。作動準備状態認識手段による火災感知器４０の非準備状態が認識されない場合は、現状を維持し、作動準備状態認識手段は火災感知器４０の作動準備状態を確認し続ける（ステップＳ３）。
【００４０】
次に、制御盤３０から制御信号ＣＳ２を仕切り弁２６に送出する。この信号により、電動弁２６ａが解放状態となる（ステップＳ４）。ステップＳ４の仕切り弁２６の解放に続いて、送水ポンプ１４が起動するように制御信号ＣＳ３が送水ポンプ１４に送出され、この信号により送水ポンプ１４が起動する（ステップＳ５）。このような手続きを行うことにより、二次側配管２４内部には、これまで空気が減圧されていた状態から水が所定の圧力で充填されることとなる。上記の一連の制御により、真空乾式スプリンクラーシステムは、一般的な湿式スプリンクラーシステムのスタンバイ状態となる。
【００４１】
この状態で、スプリンクラーヘッド１２が火災により開状態になると、開状態となったスプリンクラーヘッド１２から水が連続で流れ出ることとなる。電動弁２６ａが解放され、送水ポンプ１４が稼働しているからである。このようにして、スプリンクラーヘッド１２から連続的に多量の水が放射されて、消火活動を行うことが可能となる。なお、二次側配管２４内を連続して水が流れると、流水検知器により流水が検知され、警報が発せられることとなる。
【００４２】
ここで、未設置等により非準備状態であった火災感知器４０が、準備状態になった場合には、従前の真空乾式スプリンクラーシステムに構築し直すことが可能である。すなわち、制御盤３０に火災信号ＦＳが入力されると仕切り弁２６及び送水ポンプ１４を制御するように設定し直す。そして、二次側配管２４内部の水を試験弁２８により除去した後、吸引用電磁弁５４を開いて吸引ポンプ５０を駆動し、吸引管５２内部及び二次側配管２４内部を吸引する。このようにして従前の真空湿式スプリンクラーシステムの初期状態に再設定が完了する。
【００４３】
次に、乾式スプリンクラーシステムについて説明する。乾式スプリンクラーシステムは、上述の真空乾式スプリンクラーシステムにおいて、二次側配管２４内が減圧状態（負圧状態）ではなく加圧状態（正圧状態）になっている点だけが異なる。したがって、上述した真空乾式スプリンクラーシステム１１０に係る図１のフロー図の説明で、負圧状態を加圧状態と置き換えれば、その他は略同一である。したがって、乾式スプリンクラーシステムにおいても、火災感知器が未設置や故障等で火災信号を制御盤に送ることが不可能な場合に、湿式のスプリンクラーシステムのスタンバイ状態を構築することができ、作動しない空白の時間を皆無とし確実に作動する信頼性の高いスプリンクラーシステムを構築することができる。
【００４４】
なお、本発明は、上述の実施の形態に限定されるものではなく、本発明の趣旨を逸脱しない範囲で種々の変更が可能である。例えば、水供給手段として送水ポンプ１４と消火水槽１６を例示したが、この構成に限定されない。
【符号の説明】
【００４５】
１２  スプリンクラーヘッド
１４  送水ポンプ
１６  消火水槽
２２  一次側配管
２４  二次側配管
２４ａ  立ち上がり配管
２４ｂ  立ち下がり配管
２８  試験弁
３０  制御盤
５０  吸引ポンプ
５３  吸引管
５４  吸引用電磁弁
５７ａ  温度検出器
５７ｂ  圧力検出器
６２  残水
【図１】
2012130374.tif 000003
【図２】
2012130374.tif 000004
【図３】
2012130374.tif 000005